(57)【要約】【課題】鍛造プレスのスライド下降時にノックアウトピンをスライド下端から突出しないように保持するためのスプリングを備えた上ノックアウト装置において、そのスプリングの交換作業を効率よく行えるようにする。【解決手段】鍛造プレスのスライド２とともにレバー押戻し機構２０のスプリング２１を保持し、そのスプリング２１に押圧されるピン押下レバー４のばね受け部２８を、ピン押下レバー４本体の伝達レバー部４ｂに一体に形成された取付部２９の内周に嵌め込まれ、その一端のフランジ部２８ａが取付部２９の一端面に取付ボルト３０で固定されるものとすることにより、スプリング２１が折損した際にも、取付ボルト３０を緩めるだけで、容易にレバー押戻し機構２０を取り外してスプリング２１の交換を行えるようにした。【選択図】図４
2020151759.tif 000002
【特許請求の範囲】
【請求項１】
鍛造プレスのクランク軸の回転に伴う連結ロッドの揺動によって昇降するスライドに、スライドの下端から下方へ突出可能に保持されたノックアウトピンと、前記スライドに回動自在に取り付けられ、前記ノックアウトピンを押し下げるためのピン押下レバーと、前記スライドが上昇するときの連結ロッドの揺動を前記ピン押下レバーのノックアウトピン押下方向の回動に変換する運動変換機構と、前記スライドとピン押下レバーとの間に配されたスプリングの弾力により、前記ピン押下レバーをノックアウトピン押下方向と逆の方向に付勢するレバー押戻し機構とを備え、
前記スライドが下降するときには、前記レバー押戻し機構がピン押下レバーのノックアウトピン押下方向の回動を阻止することにより、前記ノックアウトピンがスライドの下端から突出しない状態で保持され、前記スライドが上昇するときには、前記運動変換機構がレバー押戻し機構のスプリングの弾力に抗してピン押下レバーを回動させることにより、前記ノックアウトピンがスライドの下端から突出するようにした鍛造プレスの上ノックアウト装置において、
前記レバー押戻し機構のスプリングは、前記ピン押下レバーに設けられたばね受け部を押圧するように配されており、前記ピン押下レバーのばね受け部がピン押下レバーの本体に着脱可能に取り付けられていることを特徴とする鍛造プレスの上ノックアウト装置。
【発明の詳細な説明】
【技術分野】
【０００１】
本発明は、鍛造プレスの上金型から被加工物を離脱させるノックアウトピンを有する上ノックアウト装置に関する。
【背景技術】
【０００２】
一般的な鍛造プレスは、プレス本体に支持されたクランク軸を回転させることにより、クランク軸に回転自在に取り付けた連結ロッドを揺動させて、連結ロッドの下端部に回転自在に取り付けたスライドを所定のストロークで昇降させ、そのスライドの下面側に取り付けた上金型とスライドの下方に設置されるボルスタの上面側に取り付けた下金型とで被加工物の鍛造加工を行っている。
【０００３】
そして、上下の金型で被加工物を加工した後、上金型をスライドとともに上昇させて下金型から離反させた際には、通常、被加工物が下金型に嵌合した状態となっているので、下ノックアウト装置のノックアウトピンを突き上げて被加工物を下金型から離脱させ、離脱した被加工物をトランスファ装置で次工程へ搬送するようになっている。また、スライドを上昇させたときに被加工物が上金型に嵌合したまま持上げられて下金型に残らない場合もあるため、上金型からノックアウトピンを突き下げて被加工物を離脱させる上ノックアウト装置が下ノックアウト装置と対に設けられている（例えば、特許文献１参照。）。
【０００４】
上記のような上ノックアウト装置の一例を図５および図６に示す。この上ノックアウト装置は、鍛造プレスのクランク軸（図示省略）の回転に伴う連結ロッド１の揺動によって昇降するスライド２に、スライド２の下端から下方へ突出可能に保持された一対のノックアウトピン３と、スライド２に回動自在に取り付けられ、各ノックアウトピン３を押し下げるための一対のピン押下レバー４と、スライド２が上昇するときの連結ロッド１の揺動を各ピン押下レバー４のノックアウトピン押下方向の回動に変換する運動変換機構１０と、スライド２と各ピン押下レバー４との間に配されたコイルばねからなるスプリング２１の弾力により、各ピン押下レバー４をノックアウトピン押下方向と逆の方向に付勢するレバー押戻し機構２０とを備えている。
【０００５】
前記ピン押下レバー４は、先端部でノックアウトピン３の上端部に当接する操作レバー部４ａと、先端部で運動変換機構１０から押圧力を受ける伝達レバー部４ｂとからなり、伝達レバー部４ｂの二股の基端部とその間に固定された操作レバー部４ａの基端部がスライド２に回動自在に取り付けられ、操作レバー部４ａと伝達レバー部４ｂとが一体に回動するようになっている。
【０００６】
前記運動変換機構１０は、連結ロッド１の側面に固定された平板状のカム１１と、カム１１に当接するように配されるローラ１２と、スライド２に回動自在に取り付けられ、一端部でローラ１２を回転自在に支持する運動変換レバー１３とからなり、スライド２上昇時の連結ロッド１の揺動によって連結ロッド１と一体のカム１１がローラ１２を押すと、運動変換レバー１３が図５における右回りに回動し、その二股の他端部のそれぞれに固定されたウエアプレート１４で各ピン押下レバー４の伝達レバー部４ｂの先端部に固定されたウエアプレート１５を押すことにより、各ピン押下レバー４を図５における左回りすなわち操作レバー部４ａでノックアウトピン３を押し下げる方向に回動させるようになっている。
【０００７】
前記レバー押戻し機構２０は、図７に示すように、スライド２の側面の凹部２ａにスプリングロッド２２の頭部を嵌め込み、そのスプリングロッド２２の軸部の外周に頭部側から順にスプリング２１、球面座金２３および平座金２４を装着し、その軸部の先端側をピン押下レバー４の伝達レバー部４ｂに設けられた環状のばね受け部２５に通して、スプリング２１が球面座金２３および平座金２４を介してピン押下レバー４のばね受け部２５を押圧するようにしたものである。
【０００８】
なお、スプリングロッド２２の軸部の先端小径部には平座金２６が装着されるとともに、平座金２６を抜け止めする一対の締め付けナット２７ａ、２７ｂがねじ結合しており、その平座金２６がばね受け部２５の一端面（装置の外方側の端面）に形成されたザグリ部に係合することにより、ピン押下レバー４の回動範囲が規制されるようになっている。
【０００９】
そして、スライド２が下降するときには、レバー押戻し機構２０がピン押下レバー４のノックアウトピン押下方向の回動を阻止することにより、ノックアウトピン３がスライド２の下端から突出しない状態で保持され、スライド２が上昇するときには、運動変換機構１０がレバー押戻し機構２０のスプリング２１の弾力に抗してピン押下レバー４を回動させることにより、ピン押下レバー４がノックアウトピン３を押し下げ、ノックアウトピン３がスライド２の下端から突出するようになっている。
【先行技術文献】
【特許文献】
【００１０】
【特許文献１】特開２００２−１７８０８８号公報
【発明の概要】
【発明が解決しようとする課題】
【００１１】
しかしながら、上述したような従来の上ノックアウト装置では、ピン押下レバーのばね受け部がピン押下レバーの本体と一体に形成されているため、レバー押戻し機構のスプリングが折損した際には、装置全体を分解しながら取り外したうえでスプリングを交換することになり、その交換作業の作業性が低く交換時間が長くなるという問題があった。
【００１２】
そこで、本発明は、鍛造プレスのスライド下降時にノックアウトピンをスライド下端から突出しないように保持するためのスプリングを備えた上ノックアウト装置において、そのスプリングの交換作業を効率よく行えるようにすることを課題とする。
【課題を解決するための手段】
【００１３】
上記の課題を解決するために、本発明は、鍛造プレスのクランク軸の回転に伴う連結ロッドの揺動によって昇降するスライドに、スライドの下端から下方へ突出可能に保持されたノックアウトピンと、前記スライドに回動自在に取り付けられ、前記ノックアウトピンを押し下げるためのピン押下レバーと、前記スライドが上昇するときの連結ロッドの揺動を前記ピン押下レバーのノックアウトピン押下方向の回動に変換する運動変換機構と、前記スライドとピン押下レバーとの間に配されたスプリングの弾力により、前記ピン押下レバーをノックアウトピン押下方向と逆の方向に付勢するレバー押戻し機構とを備え、前記スライドが下降するときには、前記レバー押戻し機構がピン押下レバーのノックアウトピン押下方向の回動を阻止することにより、前記ノックアウトピンがスライドの下端から突出しない状態で保持され、前記スライドが上昇するときには、前記運動変換機構がレバー押戻し機構のスプリングの弾力に抗してピン押下レバーを回動させることにより、前記ノックアウトピンがスライドの下端から突出するようにした鍛造プレスの上ノックアウト装置において、前記レバー押戻し機構のスプリングは、前記ピン押下レバーに設けられたばね受け部を押圧するように配されており、前記ピン押下レバーのばね受け部がピン押下レバーの本体に着脱可能に取り付けられている構成を採用した。
【００１４】
すなわち、鍛造プレスのスライドとともにレバー押戻し機構のスプリングを保持し、そのスプリングに押圧されるピン押下レバーのばね受け部を、ピン押下レバーの本体に着脱可能に取り付けることにより、そのスプリングが折損した際にも、ピン押下レバーの本体からばね受け部を取り外すだけでスプリングの交換ができるようにしたのである。
【発明の効果】
【００１５】
本発明の鍛造プレスの上ノックアウト装置は、上述したように、ピン押下レバーの本体からばね受け部を取り外すだけでレバー押戻し機構のスプリングの交換ができるようにしたものであるから、そのスプリングを交換する際に装置全体の取り外しが必要となる従来のものに比べて、効率よく短時間でスプリングの交換作業を行うことができる。
【図面の簡単な説明】
【００１６】
【図１】実施形態の上ノックアウト装置の鍛造プレスへの組込状態を示す縦断正面図
【図２】図１の右側面図
【図３】図１の上ノックアウト装置の動作の説明図
【図４】図１の上ノックアウト装置の要部を拡大して示す分解縦断正面図
【図５】従来の上ノックアウト装置の鍛造プレスへの組込状態を示す縦断正面図
【図６】図５の右側面図
【図７】図５の上ノックアウト装置の要部を拡大して示す縦断正面図
【発明を実施するための形態】
【００１７】
以下、図１乃至図４に基づき、本発明の実施形態を説明する。この上ノックアウト装置の基本的な構造および動作は、前述の図５および図６に示した従来の装置（以下、単に「従来装置」と称する。）と同じである。すなわち、この上ノックアウト装置は、図１および図２に示すように、従来装置とそれぞれ同じ機能を有するノックアウトピン３、操作レバー部４ａと伝達レバー部４ｂとからなるピン押下レバー４、運動変換機構１０およびレバー押戻し機構２０を備えている。そして、スライド２下降時は、レバー押戻し機構２０がピン押下レバー４のノックアウトピン押下方向の回動を阻止することにより、ノックアウトピン３がスライド２の下端から突出しない状態で保持され、スライド２上昇時は、図３に示すように、運動変換機構１０がレバー押戻し機構２０のスプリング２１の弾力に抗してピン押下レバー４を回動させることにより、ピン押下レバー４がノックアウトピン３を押し下げ、ノックアウトピン３がスライド２の下端から突出するようになっている。
【００１８】
ここで、運動変換機構１０の構成は前述の従来装置と同一である。一方、レバー押戻し機構２０の構成は基本的には従来装置と同じであるが、従来装置の構成要素である環状のばね受け部２５がピン押下レバー４の本体のうちの伝達レバー部４ｂと一体に形成されているのに対し、この実施形態では、環状のばね受け部２８がピン押下レバー４本体と別体に形成されて本体の伝達レバー部４ｂに着脱可能に取り付けられており、この点で従来装置と異なっている。
【００１９】
具体的には、図４に示すように、この実施形態のピン押下レバー４本体の伝達レバー部４ｂには、スプリング２１、球面座金２３、平座金２４およびスプリングロッド２２の頭部が通過可能な環状の取付部２９が一体に形成されており、取付部２９の内周に嵌合するばね受け部２８が、その一端に形成されたフランジ部２８ａを取付部２９の一端面に複数の取付ボルト３０で固定されるようになっている。
【００２０】
したがって、この上ノックアウト装置では、レバー押戻し機構２０のスプリング２１が折損した際にも、ピン押下レバー４のばね受け部２８を本体側の取付部２９に固定している取付ボルト３０を緩めるだけで、レバー押戻し機構２０全体をスライド２とピン押下レバー４本体の間から取り外すことができる。そして、取り外したレバー押戻し機構２０を分解してスプリング２１を交換した後、逆の手順でレバー押戻し機構２０を組み立ててスライド２とピン押下レバー４本体の間に組み込めばよい。これにより、スプリングを交換する際に装置全体の取り外しが必要となる従来装置に比べて、効率よく短時間でスプリング２１の交換作業を行うことができる。
【００２１】
また、レバー押戻し機構２０のスプリング２１が折損した際に、レバー押戻し機構２０全体を予め準備した新しいものに交換するようにすれば、交換作業の時間をさらに短縮することができる。
【００２２】
また、スプリング２１はかなり弾力の大きいものが用いられることから、従来装置の組立時には特殊な工具が必要であったが、この上ノックアウト装置では、組立作業の最後にピン押下レバー４本体の取付部２９にばね受け部２８を固定すればよいので、スプリング２１の弾力に影響されることなく、効率よく組立作業を行うことができるという利点もある。
【００２３】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【００２４】
１  連結ロッド
２  スライド
３  ノックアウトピン
４  ピン押下レバー
４ａ  操作レバー部
４ｂ  伝達レバー部
１０  運動変換機構
２０  レバー押戻し機構
２１  スプリング
２２  スプリングロッド
２８  ばね受け部
２９  取付部
３０  取付ボルト
【図１】
2020151759.tif 000003
【図２】
2020151759.tif 000004
【図３】
2020151759.tif 000005
【図４】
2020151759.tif 000006
【図５】
2020151759.tif 000007
【図６】
2020151759.tif 000008
【図７】
2020151759.tif 000009